(57)【要約】【課題】バリによって不具合が生じる部位に、バリが生じ難い電磁リレーを提供する。【解決手段】電磁リレーは、長手方向の両端部を夫々接極片６１とする接極子６と、板ばねからなり接極子６の両側方に配設される一対の可動接触子７と、可動接触子７と連続一体に形成されたヒンジばね片８とを有するアマチュアブロックＡＢを備える。接極子６と両可動接触子７とが可動接触子７の厚み方向に分離する一対の金型を用いて成形される合成樹脂製の支持体９と一体に成形され、アマチュアブロックＡＢは、ヒンジばね片８を揺動支点として厚み方向に揺動する。ここで、各可動接触子７において夫々接極子６を挟んで互いに反対側となる側縁の一部が支持体９から側方に突出し、支持体９における可動接触子７の側縁の一部が突出する部位では、一対の金型の分割面ＰＬは可動接触子７の厚み内に位置する。【選択図】図１
2005071761.tif 000002
【特許請求の範囲】
【請求項１】
両端部を夫々磁極とし中央部にコイルが巻装された鉄芯を備え両磁極を同じ向きに向けたコイルブロックと、両磁極が並ぶ方向に長く長手方向の両端部が各磁極に夫々対向する接極子を備え接極子の長手方向の中央部において幅方向の両側方に配設されたヒンジばね片を有するアマチュアブロックと、コイルブロックとアマチュアブロックとを異極性に磁化する永久磁石と、コイルブロックとアマチュアブロックとを収納するとともにヒンジばね片を定位置に保持することにより接極子の長手方向の両端部と各磁極との間の距離を変化させるようにアマチュアブロックを揺動自在に支持するケースとを備え、アマチュアブロックは、接極子の幅方向の両側方に配設されるとともに接極子の長手方向に延長された板ばねからなる一対の可動接触子と、可動接触子の厚み方向に分離する一対の金型を用いて接極子および両可動接触子とともに一体に成形される合成樹脂製の支持体とを備え、ケースはアマチュアブロックの揺動に伴って可動接触子の長手方向の各端部と接離する固定接点を備え、各可動接触子において夫々接極子を挟んで互いに反対側となる側縁の一部は支持体から突出し、少なくとも支持体における可動接触子の側縁の一部が突出する部位では、支持体を成形する両金型の分割面が可動接触子の厚み内に位置することを特徴とする電磁リレー。
【請求項２】
前記可動接触子は、前記支持体に覆われる部位に支持体の一部が流入する位置ずれ防止孔が貫設されていることを特徴とする請求項１記載の電磁リレー。
【請求項３】
前記可動接触子は、前記位置ずれ防止孔の周縁から位置ずれ防止孔の貫通方向に突出する食込突片を有することを特徴とする請求項２記載の電磁リレー。
【発明の詳細な説明】
【技術分野】
【０００１】
本発明は、電磁リレーに関するものである。
【背景技術】
【０００２】
以下に従来構成として示す電磁リレーと本発明の電磁リレーとは基本的な構成が共通しているから、共通部分については図２を参照して説明する。
【０００３】
従来から、電磁リレーとして、直方体状のケース３内に、両端部を夫々磁極１１とし中央部にコイル２１が巻装されたコ字状の鉄芯１を備えるコイルブロックＣＢと、両磁極１１の並ぶ方向に長い矩形板状の接極子６を備えるアマチュアブロックＡＢとを収納した構成を有するものが知られている。この種の電磁リレーとして、例えば、本件出願人が先に出願したものがある（特願２００２−３５６６４４号）。接極子６は、鉄芯１と異極性になるように永久磁石４によって磁化されるとともに、長手方向の両端部を夫々接極片６１として厚み方向において両接極片６１を各磁極１１に夫々対向させるように配置される。
【０００４】
アマチュアブロックＡＢには、図５（ａ）に示すように、接極子６の幅方向の両側方に夫々配設され接極子６の長手方向に延長された一対の可動接触子７と、接極子６の長手方向の中央部において接極子６の幅方向の両側方に配設されるヒンジばね片８とを備える。可動接触子７は、接極子６と同方向に長く接極子６の厚み方向にばね性を有する板ばねからなる。ヒンジばね片８は、板面の形状をコ字状に形成された板ばねであって、一方の脚部が可動接触子７に連続一体に形成され、他方の脚部がケース３に保持された共通端子５４（図２（ｂ）参照）の一端部である接続端５３（図２（ａ）参照）に固着される。接極子６と両可動接触子７とは、合成樹脂製の支持体９と一体成形される。
【０００５】
支持体９は、ヒンジばね片８を接続端５３に固着した状態で接極子６が上述した配置になるように、接極子６と一対の可動接触子７とを位置固定する。支持体９は、各ヒンジばね片８に対して接極子６の長手方向の両側方に夫々設けられた保持台９１を備え、接極子６の長手方向に並ぶ両保持台９１に可動接触子７を挿通した形で可動接触子７を位置固定する。ここで、可動接触子７は、長手方向の両端部をケース３に保持される固定端子５２（図２（ｂ）参照）の一端部に接続された固定接点３３（図２（ｂ）参照）に夫々対向させるとともに固定接点３３との対向方向にばね性を有するように、両保持台９１に支持される。
【０００６】
この構成では、コイル２１に通電し両磁極１１を異極性に励磁すれば、アマチュアブロックＡＢは、一方の接極片６１が磁極１１に吸引されるとともに他方の接極片６１が磁極１１から離れるようにヒンジばね片８を揺動支点として厚み方向に揺動する。その結果、可動接触子７の長手方向の両端部は、コイル２１への通電方向の切換に応じて固定接点３３に接離する（例えば、特許文献１参照）。
【特許文献１】特許第３１３３８０２号公報（第３−６頁、図２）
【発明の開示】
【発明が解決しようとする課題】
【０００７】
ところで、支持体９は、可動接触子７の厚み方向に分離する一対の金型（図示せず）を用いて成形されており、図５（ｂ）に示すように、特に各保持台９１における可動接触子７に対して接極子６と夫々反対側の部位においては、一対の金型の分割面ＰＬ（所謂パーティングライン）が可動接触子７付近に夫々位置する。したがって、支持体９を成形する際に、両金型の分割面に合成樹脂が流れこむことによってバリが生じることがある。要するに、各保持台９１における可動接触子７に対して接極子６と反対側の側面には、一対の金型の分割面ＰＬに沿ってバリが生じ易い。
【０００８】
保持台９１に生じたバリがケース３の内側面に当接する場合には、アマチュアブロックＡＢの揺動によってバリがケース３と擦れ合うので、アマチュアブロックＡＢの揺動の障害となる可能性がある。また、バリがケース３と擦れ合うことによって、バリが支持体９から分離されケース３内部に落下し電磁リレーの動作障害や接触不良を誘起する可能性もある。
【０００９】
また、図６のように、金型I、IIには可動接触子７を誘い込みやすいようにテーパＴが付与されるので、可動接触子７の側方にバリが付着することもあり、この場合には、可動接触子７のばね特性に影響を与える可能性がある。
【００１０】
一方、製造工程においては、バリが生じないように成形圧力や成形温度などの成形条件を管理することは困難であり、さらには、金型の分割面に隙間が生じないように金型のメンテナンスを頻繁に行う必要があり面倒であった。
【００１１】
本発明は、上記事由に鑑みて為されたものであって、アマチュアブロックの揺動の障害となったり電磁リレーの動作障害や接触不良を誘起したり可動接触子のばね特性に影響を与えたりする部位に、バリが生じることのない電磁リレーを提供することを目的とする。
【課題を解決するための手段】
【００１２】
請求項１の発明は、両端部を夫々磁極とし中央部にコイルが巻装された鉄芯を備え両磁極を同じ向きに向けたコイルブロックと、両磁極が並ぶ方向に長く長手方向の両端部が各磁極に夫々対向する接極子を備え接極子の長手方向の中央部において幅方向の両側方に配設されたヒンジばね片を有するアマチュアブロックと、コイルブロックとアマチュアブロックとを異極性に磁化する永久磁石と、コイルブロックとアマチュアブロックとを収納するとともにヒンジばね片を定位置に保持することにより接極子の長手方向の両端部と各磁極との間の距離を変化させるようにアマチュアブロックを揺動自在に支持するケースとを備え、アマチュアブロックが、接極子の幅方向の両側方に配設されるとともに接極子の長手方向に延長された板ばねからなる一対の可動接触子と、可動接触子の厚み方向に分離する一対の金型を用いて接極子および両可動接触子とともに一体に成形される合成樹脂製の支持体とを備え、ケースがアマチュアブロックの揺動に伴って可動接触子の長手方向の各端部と接離する固定接点を備え、各可動接触子において夫々接極子を挟んで互いに反対側となる側縁の一部が支持体から突出し、少なくとも支持体における可動接触子の側縁の一部が突出する部位では、支持体を成形する両金型の分割面が可動接触子の厚み内に位置することを特徴とする。
【００１３】
この構成によれば、アマチュアブロックの揺動の障害となったり電磁リレーの動作障害や接触不良を誘起したり可動接触子のばね特性に影響を与えたりする部位には、支持体から可動接触子の側縁が突出するからバリが生じない。また、バリによる不具合が生じることがないので、製造工程において、成形条件の管理が容易になり、さらには、金型のメンテナンスを行う頻度を低くすることができる。その結果、製造工程の能率が向上する。
【００１４】
請求項２の発明では、請求項１の発明において、前記可動接触子は、前記支持体に覆われる部位に支持体の一部が流入する位置ずれ防止孔が貫設されていることを特徴とする。
【００１５】
この構成によれば、位置ずれ防止孔を通して可動接触子の厚み方向に支持体が連続一体に結合するから、可動接触子の支持体に対する位置ずれを防止できる。
【００１６】
請求項３の発明は、請求項２の発明において、前記可動接触子が、前記位置ずれ防止孔の周縁から位置ずれ防止孔の貫通方向に突出する食込突片を有することを特徴とする。
【００１７】
この構成によれば、可動接触子に位置ずれ防止孔を貫設しても、可動接触子における位置ずれ防止孔を含む厚み方向の断面積は、食込突片を有していない構成より食込突片の分だけ大きくなる。その結果、可動接触子において、位置ずれ防止孔を貫設することによって生じる電気抵抗の増大を抑制できる。また、食込突片が支持体に食込むので、可動接触子は支持体に対して食込突片を有していない構成より強固に位置固定される。
【発明の効果】
【００１８】
本発明は、アマチュアブロックの揺動の障害となったり電磁リレーの動作障害や接触不良を誘起したり可動接触子のばね特性に影響を与えたりする部位には、支持体から可動接触子の側縁が突出するからバリが生じない。また、バリによる不具合が生じることがないので、製造工程において、成形条件の管理が容易になり、さらには、金型のメンテナンスを行う頻度を低くすることができる。その結果、製造工程の能率が向上する。
【発明を実施するための最良の形態】
【００１９】
以下、本発明を実施するための最良の形態を図面を参照して説明する。
【００２０】
本実施形態の電磁リレーは、図２（ｃ）に示すように、コ字状の鉄芯１の中央部がコイルボビン２に挿通されコイルボビン２にコイル２１を巻装することによって鉄芯１の両端部を夫々磁極１１とするコイルブロックＣＢを備える。コイルブロックＣＢは、コイル２１が巻装された部位を覆う合成樹脂製のベース３１を備える。ベース３１は、下面が一方に長い矩形状に形成されており、下面開口の箱状のカバー３２の開口面に配置されることによって、カバー３２とともに直方体状のケース３を構成する。
【００２１】
ケース３の内部において、ベース３１における長手方向の両端部からは鉄芯１の各脚部が夫々突出する。ベース３１から突出した鉄芯１の両脚部の間には、長手方向の両端部と長手方向の中央部とが異極性に着磁された矩形板状の永久磁石４が、長手方向の両端部を鉄芯１の各脚部と磁気結合するように配設される。また、ベース３１における鉄芯１の各脚部が突出する部位の幅方向の両側方には夫々固定接点３３（図２（ａ）参照）が配設され、永久磁石４の長手方向の中央部において幅方向の両側方には夫々接続凹所３４（図２（ｂ）参照）が形成される。
【００２２】
ベース３１の下面からは、図２（ｂ）に示すように、コイル２１への通電を行うために一端部がコイル２１に接続された一対のコイル端子５１の他端部と、各固定接点３３に一端部が夫々接続された複数本（図示例では４本）の固定端子５２の他端部と、後述するヒンジばね片８が固着される接続端５３を一端部に備える共通端子５４の他端部とが夫々突出する。図示例では、共通端子５４は２本設けられ、各接続端５３を接続凹所３４に夫々露出させるように配置される。これらの端子５１、５２、５４はすべて、ベースによって一体に保持される。
【００２３】
一方、ケース３の内部には、図１（ａ）に示すように、長手方向の両端部を夫々接極片６１とする矩形板状の接極子６を備えるアマチュアブロックＡＢが収納される。アマチュアブロックＡＢは、接極子６の他に、板ばねからなり接極子６の幅方向の両側方に夫々配設される（図２（ａ）の上下に）一対の可動接触子７と、板面の形状をコ字状に形成された板ばねからなり一方の脚部が可動接触子７に連続一体に形成され他方の脚部が上述した接続端５３に固着されるヒンジばね片８とを備える。ここで、ヒンジばね片８は、接極子６の長手方向の中央部において接極子６の幅方向の両側方に配設される。また、可動接触子７とヒンジばね片８とは１枚の板ばねから面一に形成されており、接極子６に対して接極子６の厚み方向の一方（図２（ｂ）の下方）にずれた面内に配置される。
【００２４】
ところで、接極子６と両可動接触子７とは合成樹脂製の支持体９と一体成形される。支持体９は、接極子６の長手方向の中央部を覆うように形成されており、各ヒンジばね片８に対して接極子６の長手方向の両側方に夫々突出する保持台９１を備える。保持台９１は、直方体状であって、接極子６に対して接極子６の厚み方向の一方（図２（ｂ）の下方）にずれた部位に設けられる。
【００２５】
各可動接触子７は夫々、板面の形状が矩形状に形成され各保持台９１に対して一部が埋設されることによって夫々保持される保持片７１と、接極子６の幅方向の寸法が保持片７１より小さく接極子６の長手方向に並ぶ保持片７１同士を連続一体に結合する連結片７２と、各保持片７１に対して連結片７２と反対側に夫々突出する接触片７３とで構成される。ここで、各可動接触子７における両接触片７３の先端同士を結ぶ長手方向の寸法は、接極子６の長手方向の寸法と略同じである。また、各可動接触子７における接極子６側の側縁は、一方の接触片７３の基端部から他方の接触片７３の基端部にかけて一直線状に夫々形成される。各接触片７３は、先端部が接極子６の先端部に対して離れるように夫々Ｓ字状に形成されるとともに、先端部が幅方向に２分割されるように先端から長手方向に分割溝７４が形成され、厚み方向にばね性を有する。
【００２６】
このアマチュアブロックＡＢは、図２（ａ）に示すように、接極子６における両接極片６１を各磁極１１と夫々対向させるとともに、各可動接触子７における両接触片７３を各固定接点３３に夫々対向させる配置でケース３内に収納される。この状態で、各ヒンジばね片８が夫々接続凹所３４（図２（ｂ）参照）に挿入され上述したように接続端５３に固着されることによって、アマチュアブロックＡＢは、ケース３に対してヒンジばね片８を揺動支点として厚み方向に揺動自在に支持される。この構成によって、アマチュアブロックＡＢを厚み方向に揺動させると、各接極片６１が夫々対向する磁極１１に接離するとともに、各接触片７３が夫々対向する固定接点３３に接離する。
【００２７】
また、支持体９は、図２（ｃ）に示すように、永久磁石４との対向面から永久磁石４に向かって突設された支持突起９１を備え、永久磁石４の長手方向の中央部に設けた支持凹部４１の底部に支持突起９１を当接させることによって接極子６を永久磁石４上に揺動自在に支持する。ここで、接極子６は、永久磁石４の長手方向の中央部と磁気結合され、結果的に、鉄芯１と異極性に磁化される。
【００２８】
上述した構成の電磁リレーは、コイル２１への通電が停止されている定常時においては、いずれかの接極片６１が対向する磁極１１に当接するように、アマチュアブロックＡＢの長手方向のいずれか一方に傾いた状態になる。ここで、磁極１１に当接する接極片６１の両側方の接触片７３が夫々対向する固定接点３３に弾接し、各可動接触子７は夫々接触片７３の弾接する固定接点３３に接続された固定端子５２と共通端子５４とを導通させる。
【００２９】
図２に例示する電磁リレーでは、定常時において左側の接極片６１が対向する磁極１１に吸着されるように、アマチュアブロックＡＢが左下がりに傾いている（図では平衡に示しているが、定常時には左下がりに傾くものとする）。この状態で、各可動接触子７における左側の接触片７３が対向する固定接点３３に夫々弾接するから、各可動接触子７は夫々、左側の固定接点３３に接続された固定端子５２と共通端子５４とを導通させる。一方、アマチュアブロックＡＢが左下がりの状態において、右側の接極片６１が対向する磁極１１に吸着されるようにコイル２１へ通電すると、アマチュアブロックＡＢは、厚み方向に揺動し右側の接極片６１が対向する磁極１１に当接するとともに左側の接極片６１が対向する磁極１１から離れる。この状態で、各可動接触子７における右側の接触片７３が対向する固定接点３３に夫々弾接するとともに左側の接触片７３が対向する固定接点３３から離れるから、各可動接触子７は夫々、右側の固定接点３３に接続された固定端子５２と共通端子５４とを導通させる。ここで、コイル２１への通電を停止しても永久磁石４の磁力によって、右下がりの状態は保持される。
【００３０】
要するに、本実施形態の電磁リレーは、従来構成と同様に、可動接触子７の長手方向の両端部と各固定接点３３とがコイル２１への通電方向の切換に応じて接離する有極リレーを構成する。
【００３１】
ところで、本実施形態の電磁リレーは、各可動接触子７が夫々保持台９１に挿通されることによって両可動接触子７が支持体９に保持される従来構成に代えて、図１（ｂ）に示すように、各可動接触子７において夫々接極子６を挟んで互いに反対側となる側縁の一部が保持台９１から突出する構成を採用する点に特徴がある。すなわち、接極子６の幅方向に並ぶ保持片７１における互いに対向する側縁の他のすべての側縁を保持台９１から側方に突出させるように、支持体９は両可動接触子７ととともに一体成形される。さらに、支持体９は、従来構成と同様に、可動接触子７の厚み方向に分離する一対の金型（図示せず）を用いて成形されており、特に各保持台９１における保持片７１の側縁が夫々突出する部位においては、一対の金型の分割面ＰＬは可動接触子７の厚み内に夫々位置する。
【００３２】
この構成では、バリが発生した場合にケース３の内側面に当接したりケース３と擦れ合うことによって電磁リレーの動作に悪影響を及ぼす部位に、バリが発生することを防止できる。要するに、電磁リレーの構造を変更することによって、課題とされていたバリの発生を防止することができる。また、保持台９１の側面から保持片７１が側方に突出するが、突出寸法が変動するバリとは異なり、保持片７１の突出寸法は設計時に設定できるので、バリのように不具合が生じることはない。
【００３３】
また、図３（図１（ｂ）と同じ部位を示す）に示すように、保持片７１における保持台９１に覆われた部位に、厚み方向に貫通する位置ずれ防止孔７５を貫設する構成も考えられる。この構成によれば、支持体９を成形する際に、保持台９１を形成する部材が位置ずれ防止孔７５に流入するので、保持片７１によって保持片の厚み方向に分割されている保持台９１が位置ずれ防止孔７５を通って連続一体に結合される。したがって、可動接触子７は支持体９に対して可動接触子の板面に沿った移動が禁止されるので、温度変化等に起因する支持体９に対する可動接触子７の位置ずれを防止できる。
【００３４】
ここに、位置ずれ防止孔７５を形成する際に、図４（図１（ｂ）と同じ部位を示す）に示すように、バーリング加工などによる絞り加工等によって位置ずれ防止孔７５の周縁から位置ずれ防止孔７５の貫通方向に突出する食込突片７６を形成することが望ましい。保持片７１は共通端子５４と接触片７３との間に位置するので、食込突片７６を備えずに位置ずれ防止孔７５が貫設されると、保持片７１における位置ずれ防止孔７５を含む貫通方向の断面積が位置ずれ防止孔７５の分だけ小さくなり共通端子５４と接触片７３との間の電気抵抗が大きくなる。これに対して、食込突片７６を備えることによって、位置ずれ防止孔７５が貫設されるとしても保持片７１における位置ずれ防止孔７５を含む貫通方向の段面積は食込突片７６の分だけ大きくなるので共通端子５４と接触片７３との間の電気抵抗の増大を抑制できる。さらに、食込突片７６が支持体９に食込むことによって、可動接触子７は支持体９に対して食込突片７６を備えない構成より強固に位置固定される。
【００３５】
なお、位置ずれ防止孔７５の形状は、図示例のように円形状に限るものではない。また、本発明は、本実施形態で示した電磁リレーに限らず、例えば、永久磁石４を接極子６と一体に設ける構造を有するものにも採用することができる。
【図面の簡単な説明】
【００３６】
【図１】本発明の実施形態に用いるアマチュアブロックを示し、（ａ）は斜視図、（ｂ）は（ａ）の要部拡大図である。
【図２】同上の構成を示し、（ａ）はカバーの天井部を破断し、アマチュアブロックを一部省略した平面図、（ｂ）は（ａ）のＡ−Ａ断面図、（ｃ）は（ａ）のＢ−Ｂ断面図である。
【図３】同上の位置ずれ防止孔を示す斜視図である。
【図４】同上の食込突片を示す斜視図である。
【図５】従来例に用いるアマチュアブロックを示し、（ａ）は斜視図、（ｂ）は（ａ）の要部拡大図である。
【図６】同上の成形時に用いる金型の補足説明で参照する斜視図である。
【符号の説明】
【００３７】
１  鉄芯
３  ケース
４  永久磁石
６  接極子
７  可動接触子
８  ヒンジばね片
９  支持体
１１  磁極
２１  コイル
３３  固定接点
６１  接極片
７５  位置ずれ防止孔
７６  食込突片
ＡＢ  アマチュアブロック
ＣＢ  コイルブロック
ＰＬ  一対の金型の分割面
【図１】
2005071761.tif 000003
【図２】
2005071761.tif 000004
【図３】
2005071761.tif 000005
【図４】
2005071761.tif 000006
【図５】
2005071761.tif 000007
【図６】
2005071761.tif 000008